(57)【要約】【課題】動画撮影中に静止画撮影されて得られた静止画データと動画像データとを対応付けて記録することができるデジタルカメラおよび、そのデジタルカメラにより、対応付けられて記録された動画像データと静止画像データの再生を簡単に行える画像再生装置を提供すること。【解決手段】撮影モード時に動画撮影用ボタンを押下した後で、静止画撮影用ボタンが押下されたた時にはＲＯＭ内にある記録制御部の処理手順にしたがって制御部１２０が第１のＣＣＤ１２１１で得られた画像データと第２のＣＣＤ１２２１で得られた画像データとを相互に対応付けてメモリカードに記録する。再生モード時には制御部１２０がＲＯＭ内の処理手順にしたがって静止画像をＬＣＤパネル１０５ａに表示させ、十字キー１０８により選択された静止画像に対応付けられた動画像データに基づく動画像を再生表示する。【選択図】    図２
2004312218.tif 000002
【特許請求の範囲】
【請求項１】
動画像と静止画像との双方の撮影が自在であって、さらに動画撮影中であっても静止画撮影が自在な、撮影により画像データを生成するデジタルカメラにおいて、
動画撮影により得られた動画像データと静止画撮影により得られた静止画像データとの双方を記録する記録部と、
動画撮影中に静止画撮影が行われた場合に、動画像データと静止画像データを、動画像中の静止画像の位置情報を含んで相互に対応付けて前記記録部に記録される記録制御部とを備えたことを特徴とするデジタルカメラ。
【請求項２】
動画像を表わす動画像データと静止画像を表わす静止画像データが、動画像中の静止画像の位置情報を含んで相互に対応付けられて記録された記録部と、
前記動画像データに基づく動画像および前記静止画像データに基づく静止画像を表示する画像表示部とを備えた画像再生装置において、
前記画像表示部に、１つの動画像に対応付けられた静止画像を順次にもしくは同時に表示する静止画表示制御部と、
前記画像表示部に表示される複数の静止画像の中の任意の静止画像を指定するための静止画像指定操作子と、
前記静止画像指定操作子によるいずれかの静止画像の指定を受けて、前記画像表示部に、指定された静止画像に対応付けられた動画像の、該静止画像に対応付けられた位置付近の部分を再生表示させる動画表示制御部とを備えたことを特徴とする画像再生装置。
【請求項３】
動画像を表わす動画像データと静止画像を表わす静止画像データが、動画像中の静止画像の位置情報を含んで相互に対応付けられて記録された記録部と、前記動画像データに基づく動画像および前記静止画像データに基づく静止画像を表示する画像表示部とを備えた画像再生装置において、
前記画像表示部に、動画像を表示するとともに、該動画像に対応付けられた静止画像の該動画像中の位置情報と、該動画像の再生表示中の部分の該動画像全体の中の位置情報とを表示させる動画表示制御部とを備えたことを特徴とする画像再生装置。
【請求項４】
前記画像表示部に動画像が再生表示されている途中において、再生中の動画像の、再生が静止画像に対応付けられている位置まで進んだタイミングで、該位置に対応付けている静止画像を、該動画像とともにもしくは動画像に代えて表示させる静止画表示制御部を備えたことを特徴とする請求項３記載のデジタルカメラ。
【請求項５】
請求項２又は３記載の画像再生装置を具備したことを特徴とする請求項１記載のデジタルカメラ。
【発明の詳細な説明】
【０００１】
【発明の属する技術分野】
本発明は、動画像と静止画像との双方の撮影が自在であって、さらに動画撮影中であっても静止画撮影が自在な、撮影により画像データを生成するデジタルカメラに関する。
【０００２】
【従来の技術】
デジタルカメラの中には動画と静止画像との双方の撮影が自在であって、さらに動画撮影中であっても静止画撮影が自在なものがある（例えば特許文献１参照）。この特許文献１では動画撮影中に、閃光発光を伴った静止画撮影を行なう場合、静止画撮影時の閃光が動画像に悪影響を及ぼさないように、動画像の中の所定のコマの画像が露光されたときから次のコマの画像の露光が開始されるまでの間に閃光発光を行わせる技術が開示されている。この特許文献１に記載されているカメラでは静止画撮影用と動画撮影用の２つの撮影光学系を用いて、静止画像データと動画像データ双方の処理をそれぞれの撮影光学系で個別に行って上記技術を実現させている。
【０００３】
このような２つの撮影光学系を用いた携帯情報端末機器もある（たとえば特許文献２参照）。この特許文献２では２つの撮影光学系によって得られた各々の画像データに基づく画像を同時に表示装置のＬＣＤパネル上に表示させたり、双方の画像データに基づいて立体画像をＬＣＤパネル上に表示させたりする技術が開示されている。
【０００４】
【特許文献１】
特開２００１−１５４２２８号公報
【特許文献２】
特開平１０−１０８１５２号公報
【０００５】
【発明が解決しようとする課題】
特許文献１、特許文献２に記載されている技術は、いずれも２つの撮影光学系をそれぞれ個別に動作させ、それぞれの撮影光学系で得られた画像データそれぞれを個別に記録媒体に記録する、あるいは合成するといったものである。このように動画像データ、静止画像データが個別に記録されると、動画像データと静止画像データとをそれぞれ対応付けて編集しようとするときなどに一々動画像データに関連のある静止画像データを、また一々静止画像データに関連のある動画像データを探索しなければならず、それらを結びつけようとする操作が煩雑になるという問題がある。
【０００６】
本発明は、上記事情に鑑み、動画撮影中に静止画撮影されて得られた静止画データと動画像データとを対応付けて記録することができるデジタルカメラおよび、そのデジタルカメラにより、対応付けられて記録された動画像データと静止画像データの再生を簡単に行える画像再生装置を提供することを目的とする。
【０００７】
【課題を解決するための手段】
上記目的を達成する本発明のカメラは、動画像と静止画像との双方の撮影が自在であって、さらに動画撮影中であっても静止画撮影が自在な、撮影により画像データを生成するデジタルカメラにおいて、
動画撮影により得られた動画像データと静止画撮影により得られた静止画像データとの双方を記録する記録部と、
動画撮影中に静止画撮影が行われた場合に、動画像データと静止画像データを、動画像中の静止画像の位置情報を含んで相互に対応付けて前記記録部に記録される記録制御部とを備えたことを特徴とする。
【０００８】
上記本発明のカメラによれば、前記動画撮影中に静止画撮影により得られた静止画を表わす静止画像データが動画像中の位置情報を含んで相互に対応付けられて上記記録部に記録されるので、その記録部に記録された動画像データが表わす動画像の中のどの場面で静止画撮影が行なわれたかがすぐに分かる。その結果、動画像撮影中のどの場面で静止画撮影が行なわれたかを一々探索する手間が省け、またその静止画像がどの動画撮影中に得られたものであるかも探索する手間が省け、どの静止画像データとどの動画像データとがどのような対応関係にあるかがすぐに分かり、煩雑な探索操作が必要なくなる。
【０００９】
上記目的を達成する本発明の第１の画像再生装置は、動画像を表わす動画像データと静止画像を表わす静止画像データが、動画像中の静止画像の位置情報を含んで相互に対応付けられて記録された記録部と、
上記動画像データに基づく動画像および上記静止画像データに基づく静止画像を表示する画像表示部とを備えた画像再生装置において、
上記画像表示部に、１つの動画像に対応付けられた静止画像を順次にもしくは同時に表示する静止画表示制御部と、
上記画像表示部に表示される複数の静止画像の中の任意の静止画像を指定するための静止画像指定操作子と、
上記静止画像指定操作子によるいずれかの静止画像の指定を受けて、上記画像表示部に、指定された静止画像に対応付けられた動画像の、その静止画像に対応付けられた位置付近の部分を再生表示させる動画表示制御部とを備えたことを特徴とする。
【００１０】
上記本発明の第１の画像再生装置によれば、上記探索を上記静止画表示制御部に行わせ、上記動画像データと対応付けられて記録された静止画像データに基づく静止画像の再生表示をその静止画表示制御部に簡単に行なわせることができる。
【００１１】
さらに上記静止画像指定操作子により、上記画像表示部に表示された複数の静止画像の中の任意の静止画像を指定させ、上記動画表示制御部により、その指定された静止画像に対応付けられた動画像の、その静止画像に対応付けられた位置以降の部分を再生表示させることができる。その結果、上記静止画像指定操作子により指定された静止画像に対応付けられた動画像を瞬時のうちに動画像制御部により上記画像表示部に再生表示させることができ、その静止画像にまつわる思い出をより一層鮮明にユーザに思い起こさせることができる。
【００１２】
上記目的を達成する本発明の第２の画像再生装置は、動画像を表わす動画像データと静止画像を表わす静止画像データが、動画像中の静止画像の位置情報を含んで相互に対応付けられて記録された記録部と、上記動画像データに基づく動画像および前記静止画像データに基づく静止画像を表示する画像表示部とを備えた画像再生装置において、
上記画像表示部に、動画像を表示するとともに、その動画像に対応付けられた静止画像のその動画像中の位置情報と、その動画像の再生表示中の部分のその動画像全体の中の位置情報とを表示させる動画表示制御部とを備えたことを特徴とする。
【００１３】
上記本発明の第２の画像再生装置によれば、上記動画表示制御部により動画像の再生表示中に、動画像の再生表示中の部分のその動画像全体の中のどの位置が再生表示されているかをユーザに視覚的に知らせることができる。そうすると、動画像のどの部分が再生表示されているかがユーザに分かる。
【００１４】
ここで、上記画像表示部に動画像が再生表示されている途中において、
再生中の動画像再生が静止画像に対応付けられている位置まで進んだタイミングで、その位置に対応付けている静止画像を、その動画像とともにもしくは動画像に代えて表示させる静止画表示制御部を備えていることが好ましい。
【００１５】
このように、動画像像再生が静止画像に対応付けられている位置まで進んだタイミングでその位置に対応付けている静止画像を、その動画像とともにもしくは動画像に代えて上記静止画像表示部により一旦上記画像表示部に表示させるようにすると、動画像中のどの場面で静止画撮影が行われたかが、またその静止画撮影された静止画像がどのようなものであったかがユーザに視覚的に伝えられる。たとえばその静止画像が表示されたときにその静止画像を映画のスチール写真のように表示させたままにするようなことを行うと、動画像が所定の位置から再生表示されている途中のタイミングでその静止画像が表示されたままになるので、その静止画像が撮影されるまでの状況を思い浮かべながら、その静止画像にまつわる思い出をユーザに思い起こさせることもできる。
【００１６】
また上記本発明の第１、第２の画像再生装置を上記本発明のデジタルカメラに配備し、さらにそのデジタルカメラに再生モードを持たせると、撮影モードで撮影した動画像データおよびその動画像データに相互に対応付けて静止画像データを上記記録部に記録した後、再生モードに切り替えられたときに上記第１または第２の画像再生装置によって上記画像表示部に上記記録部に記録された静止画像データに基づく静止画像の表示もしくはその記録部に記録された動画像データに基づく動画像を再生表示させることができる。
【００１７】
その結果、デジタルカメラ一台で、撮影を行なうことも、撮影された画像データに基づいて再生を行うことも可能になり、本発明のデジタルカメラを一台持っていれば、ユーザにとって記念になる出来事があったときに撮影を行なうことも、またその記念になる出来事に関する記憶を、画像再生装置の再生表示により蘇らせることも簡単に行える。
【００１８】
【発明の実施の形態】
以下、本発明の実施形態であるデジタルカメラの構成を説明する。
【００１９】
図１（ａ）は本実施形態のデジタルカメラ１を正面から見た正面図であり、また図１（ｂ）はカメラボディ１ａを背面から見た背面図である。
【００２０】
図１（ａ）に示すようにカメラボディ１ａの中央にレンズ鏡胴１０１が備えられている。そのレンズ鏡胴１０１の上方には閃光発光部１０２が備えられており、その閃光発光部１０２の横には閃光の光量を調節する調光センサ１０３が備えられている。
【００２１】
また、カメラボディ１ａ上部には撮影操作子が２つ設けられており、一つ目は静止画撮影ボタンＳＷ１として、２つ目は動画撮影ボタンＳＷ２として機能する。またこれら２つの撮影ボタン釦ＳＷ１，ＳＷ２の横にはモードスイッチ１０４が設けられており、このモードスイッチ１０４によって撮影モードと再生モードとが切り替えられる。
【００２２】
図１（ｂ）に示すようにこのカメラボディ１ａの背面側にはＬＣＤパネル１０５ａが設けられており、このＬＣＤパネル１０５ａに表示されるスルー画像によってフレーミングが行われる。そのＬＣＤパネル１０５ａの上方にはメニュー画面を表示させるためのメニュー釦１０６やそのメニュ画面に表示された選択項目の選択をキャンセルするためのキャンセル釦１０７が設けられている。さらにそのキャンセル釦１０７の右斜め上方には十字キー１０８が備えられており、この十字キー１０８には上キー、下キー、左キー、右キーがそれぞれ設けられている。その十字キー１０８の中央には決定ボタンが配備されており、十字キーのいずれかが操作され、ＬＣＤパネル１０５ａにメニュー画面が表示され、選択項目の選択が十字キー１０８により行われたら、この中央の決定ボタンが押下され、その選択された選択項目の画面が表示される。このときその選択項目に誤りがあれば上記キャンセルキー１０７が押下され、１つ前の画面が表示される。また本実施形態のカメラには動画撮影用の撮影ボタンＳＷ２が撮影操作されたときに得られた動画データに基づく動画像をＬＣＤパネルに表示させるための動画再生キー１０９も設けられている。
【００２３】
図２はこのデジタルカメラ１内部の構成を示す構成ブロック図である。
【００２４】
このデジタルカメラ１の動作は制御部１２０により統括的に制御されており、その制御部１２０に操作部１３０から操作信号が供給されると、その操作信号に基づいて制御部１２０が第１のバッファメモリ１２１、第２のバッファメモリ１２２、表示制御部１２３、メモリ制御部１２４などを制御する。また、このデジタルカメラ１では閃光発光装置から閃光を発したときに閃光の光量が調光センサによって検出され、所定の光量になったら閃光の発光が自動的に停止される。
【００２５】
操作部１３０には図１に示した静止画撮影ボタンＳＷ１、動画撮影ボタンＳＷ２の操作信号が入力される他、図中その他のスイッチ１３１の中のたとえば電源スイッチ（不図示）、モードスイッチ１０４などからの操作信号も入力される。これらの操作信号が入力されたら、操作部１３０で適宜処理が施され、それらの操作信号のうちいずれかの操作信号が制御部１２０に供給される。ここでは、その他のスイッチの中のモードスイッチ１０４が再生モード側に切り替えられているときには、静止画撮影ボタンＳＷ１、動画撮影ボタンＳＷ２が操作され操作部１３０に操作信号が入力されても、制御部１２０には供給されない。
【００２６】
また、制御部１２０ではＲＡＭ／ＲＯＭ部１４０の中のＲＯＭに格納されているプログラムの処理手順に基づいて、第１のバッファメモリ１２１、第２のバッファメモリ１２２、表示制御部１２３、メモリ制御部１２４、外部インタフェース１２５、音入力部１２６、スピーカ１２７各部の処理を行っている。またＲＯＭに格納されているプログラムの処理手順に基づいて、制御部１２０が各部の処理を行っている最中に、一時的にフラグなどの処理変数がＲＡＭに書き込まれる。
【００２７】
このような制御部１２０により撮影が行なわれた画像データがメモリカードに記録され、再生モード時にはそのメモリカードに記録された画像データがＬＣＤパネル１０５ａ上に再生表示される。
【００２８】
ここでモードスイッチ１０４が撮影モードに切り替えられたときに被写体を捉える撮影光学系の構成を説明する。
【００２９】
本実施形態のデジタルカメラ１には、第１のＣＣＤ固体撮像素子１２１１（以下第１のＣＣＤという）と、第２のＣＣＤ固体撮像素子１２２１（第２のＣＣＤという）が配備されており、それらＣＣＤ固体撮像素子それぞれに共通した撮影レンズ１２で同じ被写体光を結像させている。ここでは撮影レンズ１２を共通に用いて、その共通に用いた撮影レンズ１２の後方にハーフミラー１２ａを設けて、第１、第２のＣＣＤ１２１１，１２２１それぞれに同じ被写体光を結像させ、動画像を表わす被写体光と静止画像を表わす被写体光とをそれぞれ得ている。図３にはそれぞれのＣＣＤの性能を示して在る。
【００３０】
図３は第１のＣＣＤ１２１１、第２のＣＣＤ１２２１それぞれの性能を示す図である。
【００３１】
図３に示すように動画撮影用のＣＣＤ固体撮像素子である第１のＣＣＤ１２１１にはＩＳＯ感度にしてＩＳＯ１００〜８００に対応する感度を持ち、画素数にして２００万画素のＣＣＤが使用されている。また静止画撮影用ＣＣＤである第２のＣＣＤ１２２１にはＩＳＯ感度にしてＩＳＯ１００から３２００に対応する感度を持ち、画素数にして４００万画素の高感度かつ高解像度のＣＣＤが用いられている。
【００３２】
つまりそれほど解像度の必要のない動画像撮影用の撮影光学系には相対的に低解像度の第１のＣＣＤ１２１１が使用され、高精細を要求される静止画像撮影の撮影光学系には高感度かつ高解像度の第２のＣＣＤ１２２１が使用される。
【００３３】
図１（ａ），図１（ｂ）に示したモードスイッチ１０４が撮影モードに切り替えられると、このような２つのＣＣＤ固体撮像素子によって被写体が捉えられ、撮影が行なわれる。
【００３４】
ここで撮影モードに切り替えられ、デジタルカメラとして動作するときの画像データの流れを説明する。
【００３５】
モードスイッチ１０４が撮影モードに切り替えられたときには上記第１のＣＣＤ１２１１で所定の間隔ごとに生成された画像データが所定の間隔ごとに第１のバッファ１２１に供給される。制御部１２０ではその第１のバッファ１２１に供給された画像データが所定の間隔ごとに更新される度にその更新された画像データを読み出し、表示制御部１２３に供給する。表示制御部１２３では所定の間隔ごとに供給される画像データに基づく画像をＬＣＤパネル１０５ａ上にスルー画像として表示する。その表示されたスルー画像を撮影者は見ながらシャッタチャンスを伺う。
【００３６】
このときに静止画撮影ボタンＳＷ１が押下されたら、制御部１２０により第２のＣＣＤ１２２１で生成された画像データを第２のバッファメモリ１２２に供給するように指示が出される。第２のＣＣＤ１２２１では静止画撮影ボタンＳＷ１が押下されたときに捉えていた被写体光の露光を開始し、露光終了後に第２のバッファ１２２にその被写体光を表わす画像データを出力する。この第２のバッファ１２２に出力された静止画像データが制御部１２０により読み出され、さらにメモリ制御部１２４に供給される。メモリ制御部１２４ではその供給された静止画像データをメモリカード１２４ａに記録する。
【００３７】
一方、動画像撮影ボタンＳＷ２が押下されたときにはもう一度その動画撮影ボタンＳＷ２が押下されるまで、第１のＣＣＤ１２１１から第１のバッファメモリ１２１に所定の間隔ごとに出力させ、この出力させた画像データを制御部１２０により読み出し、メモリ制御部１２４に供給する。この所定の間隔ごとに供給される画像データをメモリ制御部１２４によりメモリカード１２４ａに動画像データとして記録する。
【００３８】
また、本実施形態のデジタルカメラ１は、動画撮影中であっても静止画撮影が自在なものである。このため動画撮影が行なわれているときに静止画撮影ボタンＳＷ１が押されたら、メモリカード１２４ａに動画像データと静止画像データ双方が対応付けられてメモリ制御部により記録される。このメモリ制御部は制御部により制御されるものであり、制御部はＲＯＭに記述されている処理手順にしたがって動作するものであるから、ＲＯＭと制御部とが本発明にいう記録制御部に該当する。
【００３９】
なお、本実施形態のデジタルカメラ１には音入力部１２６も備えられており、動画像撮影が行なわれているときにはマイク１２６ａで拾った音声を音入力部１２６で音声データに変換し、メモリカード１２４ａに動画像データとともに記録している。
【００４０】
ここで記録制御部に該当する制御部とＲＯＭの動作をＲＡＭ／ＲＯＭ１４０内のＲＯＭのメモリアロケーションを示し、説明する。図４はＲＯＭ内のメモリアロケーションを示す図である。
【００４１】
ＲＯＭ内には本実施形態のデジタルカメラ１にカメラとしての動作を行わせるためのプログラムが格納されている。このプログラムにはデジタルカメラとしての各動作に対応する処理手順が各記述されており、ここでは処理手順として本発明にいうデジタルカメラの動作に対応する撮影モードに係る処理手順が記述されている撮影モード処理部と本発明にいう画像再生装置の動作に対応する再生モードに係る処理手順が記述されている再生モード処理部とがある。この再生モード処理部については後述する。
【００４２】
撮影モード処理部の中にはさらにデジタルカメラとしての機能を果たすスルー画処理部や記録制御部などが各配備されており、スルー画処理部にはスルー画像を表示させるときの処理手順が、記録制御部にはメモリカードに静止画像および動画像データを記録するときの処理手順が各々記述されている。
【００４３】
撮影モードのときに撮影操作が行われたときにＲＯＭ内の記録制御部に記述されている処理手順に基づいて制御部が実行する処理を、図５を参照して詳細に説明する。
【００４４】
図５は動画撮影用の撮影ボタンＳＷ２が押下されたときにＲＯＭ内の記録制御部の処理手順に基づいて制御部が実行する処理を示すフローチャートである。
【００４５】
ステップＳ５０１で動画撮影ボタンＳＷ２が押下されたことを制御部が検出し、ステップＳ５０２へ移行して制御部１２０が第１のＣＣＤ１２１１に指示を出し、動画撮影を開始させる。このときには制御部が第１のＣＣＤ１２１１で得られた画像データを所定の間隔ごとにメモリカード１２４ａに記録する。
【００４６】
次のステップＳ５０３で動画撮影中に静止画撮影ボタンＳＷ１が押下されたことを制御部が検出したらこのステップＳ５０３でＹと判定され、ステップＳ５０５へ移行する。ステップＳ５０５では制御部１２０が動画像を表わす動画像データと静止画像を表わす静止画像データを、動画像中の静止画像の位置情報を含んで相互に対応付ける処理を行ない、その対応付けられた動画像データと静止画像データとを制御部１２０の指示に基づいてメモリ制御部１２４がメモリカード１２４ａに記録する。
【００４７】
そして次のステップＳ５０６へ移行して動画撮影用の撮影ボタンＳＷ２が再度押下されたかどうかが判定される。ここで制御部１２０がＳＷ２の再押下を検出したらＹと判定され次のステップＳ５０７へ移行して動画撮影を終了する。またステップＳ５０６で制御部１２０が動画再生スイッチの再押下を検出することができないときにはＮと判定されステップＳ５０３へ戻って動画撮影用の撮影ボタンＳＷ２が再び押下されるまでステップＳ５０３からステップＳ５０６の処理が繰り返される。なお、ステップＳ５０３で静止画撮影用のボタンが押下されず、Ｎと判定された場合には動画撮影用の撮影ボタンＳＷ２が押下されたかどうかがステップＳ５０４で判定され、制御部１２０が撮影ボタンＳＷ２の押下を検出することができずＮと判定したらステップＳ５０３へ戻って動画撮影を続行させ、制御部１２０が動画撮影用の撮影ボタンＳＷ２の押下を検出し、Ｙと判定したらステップＳ５０７へ移行して動画撮影を終了させる。
【００４８】
ステップＳ５０５で動画像データと静止画像データとがどのように対応付けられて記録されるかを、図６を参照して説明する。
【００４９】
図６（ａ）はメモリカード１２４ａの中の動画像データの記録領域を示す図であり、また図６（ｂ）は静止画像データの記録領域を示す図である。
【００５０】
図６（ａ）に示すように、動画撮影用の撮影ボタンＳＷ２が１回押下されると所定の間隔ごとに得られた画像データが動画の一コマ、一コマとなって記録される。
【００５１】
ここでは１秒間に３０コマの動画像データが得られた場合を示してある。また、動画撮影用の撮影ボタンＳＷ２が押下され、動画撮影が行われているときには、マイクで拾った音も動画像データとともに記録される。この音声データの方は１秒間隔で動画像データとは別の領域に記録される。また、この３０コマの動画像データが再生されるときにはその記録された音声も３０コマ分の音声が１つになって再生される。このように動画像データが記録されるときには動画像データの記録容量を減らすため、ＭＯＴＩＯＮＪＰＥＧという規格に準拠した圧縮が行われる。このため、その圧縮を行なったときの情報を再生時に使用することができるように、ヘッダを付加し、このヘッダとともに画像データが画像ファイルとして記録される。このような動画像を表わす画像ファイルにはたとえばＡＶＩといった拡張子が付けられ、ＤＳＣＦ０００１．ＡＶＩというファイル名でメモリカードに記録される。このとき動画撮影中に静止画撮影が行なわれている場合には、そのＤＳＣＦ００１．ＡＶＩという画像ファイルのヘッダに高精細の静止画像があるという情報が付加される。この情報は、その３０コマある中のいずれのコマに当たる部分で静止画撮影が行なわれたかを示す位置情報を含んだもので、ここでは、その静止画撮影が行なわれた位置のコマが記録されているアドレスからそのＤＳＣＦ００１．ＡＶＩファイルが記録されている先頭ドレスを減算した値をオフセット値として、そのオフセット値がＤＳＣＦ００１．ＡＶＩファイルのヘッダ内に追加記録される。このときには静止画データのファイル名たとえばＤＳＣＦ００１．ＪＰＧもそのヘッダ内に共に記録される。
【００５２】
一方、動画撮影中に静止画撮影された静止画像データの方も、ＪＰＥＧ規格に準拠した圧縮が行なわれる。このため、その圧縮情報などを再生時に使用することができるように、その圧縮情報などがヘッダとして付加され、そのヘッダとともに画像データが画像ファイルとしてメモリカード１２４ａに記録される。このヘッダの中には撮影条件などが記録されるタグ領域やサムネイル画像と呼ばれる縮小画像が記録されるサムネイル領域といったものがあり、それらと静止画像データとがＪＰＥＧファイルとなってメモリカード１２４ａに記録される。このＤＳＣＦ０００１．ＪＰＧのファイル名を持つファイルのヘッダの中にも上記動画像ファイル名と上記オフセット値が記録される。このようにして、動画像を表わす動画像データと静止画像を表わす静止画像データが、共に動画像中の静止画像の位置情報を含んで相互に対応付けられてメモリカード１２４ａに記録される。
【００５３】
以上が、本実施形態のデジタルカメラ１のモードスイッチ１０４が撮影モードに切り替えられ、デジタルカメラとして機能するときの動作である。
【００５４】
ここからはモードスイッチ１０４が再生モードに切り替えられ、本実施形態のデジタルカメラ１が画像再生装置として機能するときの動作を説明する。
【００５５】
図２に示す他のスイッチの中のモードスイッチ１０４が操作され、再生モードに切り替えらると、その操作信号が操作入力部１３０を介して制御部１２０に供給される。
【００５６】
制御部１２０ではモードスイッチ１０４が再生モードに切り替えられたので、メモリカード１２４ａから静止画像ファイルの読み出しを行ない、その静止画像ファイルの中のサムネイル領域にある画像データを表示制御部１２３に供給する。表示制御部１２３では、その供給された画像データである静止画像データに基づく静止画像をＬＣＤパネル１０５ａ上に表示させる。
【００５７】
図７はＲＯＭ内のメモリアロケーションを示す図である。
【００５８】
図７に示すようにＲＯＭには図に示した撮影モード処理部に加え、再生モードに係る処理手順が記述されている再生モード処理部がある。この再生モード処理部の中には静止画像を表示させるための処理手順が記述されている静止画表示制御部と、本発明にいう静止画像指定操作子に当たる十字キーに１０９より任意の静止画像が指定されたときにその指定された静止画像に対応付けられた動画像を表示させる動画表示制御部とがある。
【００５９】
まずこの静止画像表示部により静止画像が再生表示されたときのＬＣＤパネル１０５ａ上の表示画面を図８に示す。
【００６０】
図８はその静止画表示制御部に記述されている処理手順に基づいて、静止画表示制御部に記述されている処理手順に基づいて制御部１２０がメモリカード１２４ａから９つの静止画像（静止画像のヘッダの中のサムネイル画像）を読み出し、そのサムネイル画像を９つ表示させたときのＬＣＤパネル上の表示画面を示す図である。
【００６１】
図８に示すように９つの静止画像が表示され、この静止画像の中から再生表示を行ないたい画像が十字キー１０８により指定されると、動画制御部の処理手順に基づいて制御部１２０が動画像の再生表示を行なう。このときには、十字キー１０８により指定された静止画像に対応付けられた動画像の、その静止画像に対応付けられた位置以降の部分がＬＣＤパネル１０５ａ上に再生表示される。このときにはＲＯＭ内の動画表示制御部の処理手順に基づいて制御部１２０が動画像を表わす画像データをメモリカード１２４ａから読み出し、制御部１２０の指示に基づいて表示制御部１２３がその画像データに基づく動画像を再生表示させる。
【００６２】
図９はＲＯＭ内の静止画表示制御部と動画表示制御部に記述された処理手順に基づいて制御部が実行する処理を示すフローチャートである。
【００６３】
モードスイッチ１０４が再生モードに切り替えられたらステップＳ９０１で制御部が静止画表示制御部の所定手順に基づいて静止画像をマルチ画面（図８に示す画面）でＬＣＤパネル上に表示させる。
【００６４】
そして次のステップＳ９０２へ移行してそれら静止画像の任意の静止画像の指定が十字キー１０８により行われ、いずれかの静止画像が指定されたことを制御部１２０が検出し、Ｙと判定したら、次のステップＳ９０３へ移行して動画表示制御部の処理手順に基づいて制御部１２０が動画像の再生表示をスタートさせるかどうかを判定する。このステップＳ９０３で動画再生スイッチ１０９の押下を制御部１２０が検出したら、このステップＳ９０３でＹと判定され次のステップＳ９０４へ移行して指定された静止画像のポイントから動画再生を開始させ、ＬＣＤパネル１０５ａに動画データに基づく動画像を再生表示させる。このステップＳ９０３で動画再生スイッチ１０９の押下を制御部が検出しない場合にはＮと判定され、ステップＳ９１０へ移行して、動画像を異なる状態で再生表示させるので、ステップＳ９０４の処理をＡ、ステップＳ９１０の処理をＢとして区別して以降説明する。
【００６５】
次のステップＳ９０５て動画再生キー１０９が再度操作され停止指示が行なわれたことを制御部１２０が検出したら、Ｎと判定しステップＳ９０４に戻って動画の再生表示を続行させる。このステップＳ９０５で制御部１２０が停止指示を検出することができなかったらＹと判定し、動画像の再生表示を停止させ、ステップＳ９０１と同様に静止画像の再生表示を行う。
【００６６】
また、ステップＳ９０３で動画再生キー１０９の押下を制御部１２０が検出することができない場合にはこのステップＳ９０３でＮと判定されステップＳ９１０へ移行して、動画表示制御部の処理手順に基づいて制御部１２０が静止画像の前後にある数秒間の動画像を繰り返し再生表示させる。そして動画再生キーが再度操作されたことを制御部１２０が検出したらステップＳ９１１へ移行し、このステップＳ９１１で動画再生が停止される。さらにステップＳ９０５へ移行して制御部１２０により再びステップＳ９０１と同様の静止画像の再生表示が行われる。
【００６７】
図１０はステップＳ９０４での処理ＡとステップＳ９１０での処理Ｂによる再生の状況を説明する図である。
【００６８】
図１０に示すように上記画像表示部に表示される９つの静止画像の中の所定の静止画像が十字キー１０８により選択され、動画再生表示キー１０９が押下されたら、図９に示すステップＳ９０５で処理Ａが行われ、十字キー１０８により指定された静止画像に対応付けられた動画像の、その静止画像に対応付けられた位置（図中、静止画のポイントで示される部分）以降の部分の動画の再生表示が行なわれる。
【００６９】
上記動画再生キー１０９が押下されなかった場合には、図９に示すステップＳ９１０で処理Ｂが行なわれ、静止画のポイントを境に、上記静止画像に対応付けられた位置前後の動画像が繰り返し再生表示される。これは動画再生キー１０９が押下されない場合、撮影者にその静止画像を撮影する前後の状態を、動画像を繰り返し再生表示させることにより知らせ、撮影時の記憶を呼び起こさせるためである。
【００７０】
このようにしておくと、映画のスチール写真のように動画撮影中の一場面を、高精細な画像として残すことができるばかりでなく、そのスチールを撮影したときの状況を知りたいときには、その静止画像が撮影された前後の撮影状況を確認することができるというメリットがある。
【００７１】
図１１は別の実施形態を示す図である。
【００７２】
図１１では図７に示す動画表示制御部の内容を変更し、動画が再生表示されているときに再生状況がわかるように、動画像の再生表示中の部分の動画像全体の中の位置情報を表示させている。
【００７３】
図１１には動画像が再生表示されているときの状態が示されている。
【００７４】
図１１に示すように、ＬＣＤパネル１０５ａの下方に上記位置情報を示す棒グラフが表示されている。さらにその棒グラフの中に実線を表示させ、再生位置を表示させている。この再生位置に加えて、再生表示されている動画像に対応付けられた静止画像の再生位置（図中棒グラフの上部に矢印を多数示してある）も表示される。
【００７５】
図１２はもう１つ別の実施形態を示す図である。
【００７６】
図１２では図７に示す静止画表示制御部の内容を変更して、動画像が再生表示されている途中において、再生中の動画像の再生が静止画像に対応付けられている位置まで進んだタイミングで、その位置に対応付けている静止画像を、その静止画像表示制御の処理手順に基づいて動画像とともに表示させる処理が制御部により行われている。
【００７７】
図１２に示すように再生中の動画像の再生が静止画像に対応付けられている位置まで進んだタイミングで、制御部がその矢印を点滅させるとともに、画面の端の方にその点滅させている矢印の位置にある静止画像を表示させている。
【００７８】
このようにすると、動画像が再生されている途中において、再生中の動画像の、再生が静止画像に対応付けられている位置まで進んだタイミングで、その位置に対応付けられている静止画像が再生表示されるので、静止画像が撮影されるまでの状況を思い浮かべながら静止画像にまつわる思い出をユーザに思い起こさせることができる。
【００７９】
なお、この図１２に示す処理を行なう静止画表示制御部に記述されている処理手順に基づいて制御部が実行する処理では、静止画像を動画像とともに表示させているが、静止画像表示部に記述されているプログラムを変更し、制御部により静止画像を動画像に代えて画面いっぱいに表示させるようにしても良い。
【００８０】
さらに静止画像をそのまま表示させるようにしておくようなことを行っても良く、そうするとユーザにそのときの思い出を鮮烈に思い起こさせることができる。
【００８１】
【発明の効果】
以上、説明したように、本発明のカメラによれば、動画撮影中に静止画撮影されて得られた静止画データと動画像データとを対応付けて記録することができるデジタルカメラおよび、そのデジタルカメラにより、対応付けられて記録された動画像データと静止画像データの再生を簡単に行える画像再生装置を提供することができる。
【図面の簡単な説明】
【図１（ａ）】本実施形態のデジタルカメラ１を前方から見た正面図である。
【図１（ｂ）】本実施形態のデジタルカメラ１を背面から見た背面図である。
【図２】デジタルカメラの内部構成を示す図である。
【図３】第１のＣＣＤと第２のＣＣＤの性能を示す図である。
【図４】図２に示すＲＯＭ内のメモリアロケーションを示す図である。
【図５】図２の中の記録制御部に記述されている処理手順を示すフローチャートである。
【図６（ａ）】メモリカードに記録された動画像データの記録状態を説明する図である。
【図６（ｂ）】メモリカードに記録された静止画像データの記録状態を説明する図である。
【図７】再生モードの処理手順が格納されたＲＯＭ内のメモリアロケーションを示す図である。
【図８】再生モードに切り替えられ、静止画像が再生表示されたときのＬＣＤパネルを示す図である。
【図９】図８の静止表示制御部の処理手順を示すフローチャートである。
【図１０】図８の静止表示制御部の処理手順で再生表示処理が行なわれたときの再生状態を示す図である。
【図１１】画像再生装置の別の実施形態を示す図である。
【図１２】画像再生装置のもう１つの別の実施形態を示す図である。
【符号の説明】
１    デジタルカメラ
１２    撮影レンズ
１２ａ    ハーフミラー
１２１１  第１のＣＣＤ
１２１    第１のバッファメモリ
１２２１    第２のＣＣＤ
１２２    第２のバッファメモリ
１０１    レンズ鏡胴
１０２    閃光発光部
１０３    調光センサ
１０４    モードスイッチ
１０５    ＬＣＤ
１０５ａ    ＬＣＤパネル
１０６    メニューキー
１０７    キャンセルキー
１０８    十字キー
１０９    動画再生キー
ＳＷ１    静止画撮影用の撮影ボタン
ＳＷ２    動画撮影用の撮影ボタン
１２０    制御部
１２１    第１のバッファメモリ
１２２    第２のバッファメモリ
１２３    表示制御部
１２４    メモリ制御部
１２４ａ    メモリカード
１２５    外部インタフェース
１２６    音入力部
１２７    スピーカ
１３０    操作部
１３１    その他のスイッチ
１４０    ＲＡＭ／ＲＯＭ
【図１（ａ）】
2004312218.tif 000003
【図１（ｂ）】
2004312218.tif 000004
【図２】
2004312218.tif 000005
【図３】
2004312218.tif 000006
【図４】
2004312218.tif 000007
【図５】
2004312218.tif 000008
【図６（ａ）】
2004312218.tif 000009
【図６（ｂ）】
2004312218.tif 000010
【図７】
2004312218.tif 000011
【図８】
2004312218.tif 000012
【図９】
2004312218.tif 000013
【図１０】
2004312218.tif 000014
【図１１】
2004312218.tif 000015
【図１２】
2004312218.tif 000016